【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
支持体の表面に、中央部に横方向又は縦方向の全巾の５０％以下の巾で記録領域が形成され、その記録領域を挟むようにそれぞれが該全巾の２５％以上の巾で二つの非記録領域が形成され、或いは、中心部に全面積の６０％以下の面積で記録領域が形成され、その記録領域を囲むように非記録領域が形成され、全体として正方形又は矩形を呈してなり、かつ、該記録領域が電子供与性呈色性化合物と電子受容性化合物を主成分とし、加熱温度および／または加熱後の冷却速度の違いにより相対的に発色した状態と消色した状態を形成しうる可逆性熱発色組成物を含有する可逆性感熱記録層からなる可逆性感熱記録媒体の画像消去方法であって、発熱体を有し該記録媒体との接触巾が１．２〜５．０mmで、かつ移動する該記録媒体に接する画像消去手段を該記録媒体の表面に垂直方向に配設して、該記録領域に形成された画像を加熱消去することを特徴とする可逆性感熱記録媒体の画像消去方法。
【請求項２】
前記画像消去手段は、画像の消去時以外は可逆性感熱記録媒体と非接触又は非加圧接触状態にある請求項１に記載の画像消去方法。
【請求項３】
前記画像消去手段を、画像の消去時に可逆性感熱記録媒体の記録領域だけに加圧接触状態とする請求項１又は２に記載の画像消去方法。
【請求項４】
画像の消去後又は消去と同時に、可逆性感熱記録媒体の支持体裏面を加熱する請求項１〜３のいずれかに記載の画像消去方法。
【請求項５】
画像の消去により昇温された可逆性感熱記録媒体を冷却する請求項１〜４のいずれかに記載の画像消去方法。
【請求項６】
前記可逆性感熱記録媒体は、支持体の裏面に粘着層が設けられたものである請求項１〜５のいずれかに記載の画像消去方法。
【請求項７】
前記可逆性感熱記録媒体は全体の形態がカード状のものである請求項１〜６のいずれかに記載の画像形成方法。
【手続補正２】
【補正対象書類名】明細書
【補正対象項目名】発明の名称
【補正方法】変更
【補正の内容】
【発明の名称】画像消去方法
【手続補正３】
【補正対象書類名】明細書
【補正対象項目名】０００１
【補正方法】変更
【補正の内容】
【０００１】  本発明は、画像消去方法に関し、詳しくは、熱エネルギーの制御により可逆的に発色状態・消色状態を安定して形成できる記録領域を有し、繰り返し印字・消去が可能な可逆性感熱記録媒体に形成された画像の消去方法に関する。
【手続補正４】
【補正対象書類名】明細書
【補正対象項目名】０００７
【補正方法】変更
【補正の内容】
【０００７】  本発明の目的は、記録及び消去によっても熱変形（カール）の生じにくい可逆性感熱記録媒体に形成された画像の消去方法を提供することである。
【手続補正５】
【補正対象書類名】明細書
【補正対象項目名】０００８
【補正方法】変更
【補正の内容】
【０００８】  本発明によれば、第一に、支持体の表面に、中央部に横方向又は縦方向の全巾の５０％以下の巾で記録領域が形成され、その記録領域を挟むようにそれぞれが該全巾の２５％以上の巾で二つの非記録領域が形成され、或いは、中心部に全面積の６０％以下の面積で記録領域が形成され、その記録領域を囲むように非記録領域が形成され、全体として正方形又は矩形を呈してなり、かつ、該記録領域が電子供与性呈色性化合物と電子受容性化合物を主成分とし、加熱温度および／または加熱後の冷却速度の違いにより相対的に発色した状態と消色した状態を形成しうる可逆性熱発色組成物を含有する可逆性感熱記録層からなる可逆性感熱記録媒体の画像消去方法であって、発熱体を有し該記録媒体との接触巾が１．２〜５．０mmで、かつ移動する該記録媒体に接する画像消去手段を該記録媒体の表面に垂直方向に配設して、該記録媒体に形成された画像を加熱消去することを特徴とする可逆性感熱記録媒体の画像消去方法が提供される。
【手続補正６】
【補正対象書類名】明細書
【補正対象項目名】０００９
【補正方法】変更
【補正の内容】
【０００９】  第二に、前記画像消去手段は、画像の消去時以外は可逆性感熱記録媒体と非接触又は非加圧接触状態にある上記第一に記載の画像消去方法が提供される。
【手続補正７】
【補正対象書類名】明細書
【補正対象項目名】００１０
【補正方法】変更
【補正の内容】
【００１０】  第三に、前記画像消去手段を、画像の消去時に可逆性感熱記録媒体の記録領域だけに加圧接触状態とする上記第一又は第二に記載の画像消去方法が提供される。
【手続補正８】
【補正対象書類名】明細書
【補正対象項目名】００１１
【補正方法】変更
【補正の内容】
【００１１】  第四に、画像の消去後又は消去と同時に、可逆性感熱記録媒体の支持体裏面を加熱する上記第一〜三のいずれかに記載の画像消去方法が提供される。
【手続補正９】
【補正対象書類名】明細書
【補正対象項目名】００１２
【補正方法】変更
【補正の内容】
【００１２】  第五に、画像の消去により昇温された可逆性感熱記録媒体を冷却する上記第一〜四のいずれかに記載の画像消去方法が提供される。
【手続補正１０】
【補正対象書類名】明細書
【補正対象項目名】００１３
【補正方法】変更
【補正の内容】
【００１３】  第六に、前記可逆性感熱記録媒体は、支持体の裏面に粘着層が設けられたものである上記第一〜五のいずれかに記載の画像消去方法が提供される。
【手続補正１１】
【補正対象書類名】明細書
【補正対象項目名】００１４
【補正方法】変更
【補正の内容】
【００１４】  第七に、前記可逆性感熱記録媒体は全体の形態がカード状のものである上記第一〜六のいずれかに記載の画像形成方法が提供される。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】  本発明の可逆性感熱記録媒体に形成された画像の消去方法によれば、加熱による変形が少なくて済み、また画像消去が良好である。
【手続補正１４】
【補正対象書類名】明細書
【補正対象項目名】００２９
【補正方法】変更
【補正の内容】
【００２９】  ところで、このような加熱を行うために、従来においては、たとえば図３に示すようないわゆるスタンパと呼ばれる刻印型の消去手段５１がとられてきた。これは、発熱抵抗体によって消去温度に制御された加熱部材５４、たとえば金属板や金属ブロックを可逆性感熱記録媒体１１の消去する部分（記録領域）全体に、弾性部材５３を有する押圧部材５２により押し当てる方法（ホットスタンプ方式）である。しかし、このホットスタンプ方式は、図４（ａ）（ｂ）に示すような可逆性感熱記録部分即ち記録領域（ここでは消去域１００に相当する）の大きい記録媒体では消去域１００のみしか加圧加熱しないため、部分的な媒体の熱変形（カール）が生じる。図４（ａ）（ｂ）において、１０１及び１０２は非消去域（非記録領域）である。
【手続補正１５】
【補正対象書類名】明細書
【補正対象項目名】００３１
【補正方法】変更
【補正の内容】
【００３１】  図５（ａ）は本発明の可逆性感熱記録媒体全体における記録領域（消去域１００）の位置関係を示す例であり、消去域１００が上下に設けられた非消去域１０１、１０２で挟まれた形態のものである。ここで図面上、縦方向の全巾をＬ1とした場合、中央部の消去域１００の巾ｍ1はＬ1の５０％以下であり、非消去域１０１、１０２の巾ｎ1、ｎ2はそれぞれＬ1の２５％以上である。なお、ここではｎ1＝ｎ2であるのが好ましい。図５（ｂ）は上記図５（ａ）の可逆性感熱記録媒体を９０°回転した状態のもの、又は図面上、横方向の全巾をＬ2とした場合、中央部の消去域１００の巾ｍ2はＬ2の５０％以下であり、非消去域１０１、１０２の巾ｎ3、ｎ4はそれぞれＬ2の２５％以上としたものである。なお、ここではｎ3＝ｎ4であるのが好ましい。
【手続補正１６】
【補正対象書類名】明細書
【補正対象項目名】００３８
【補正方法】削除
【補正の内容】
【手続補正１７】
【補正対象書類名】明細書
【補正対象項目名】００３９
【補正方法】削除
【補正の内容】
【手続補正１８】
【補正対象書類名】明細書
【補正対象項目名】００４０
【補正方法】削除
【補正の内容】
【手続補正１９】
【補正対象書類名】明細書
【補正対象項目名】００４１
【補正方法】削除
【補正の内容】
【手続補正２０】
【補正対象書類名】明細書
【補正対象項目名】００４２
【補正方法】変更
【補正の内容】
【００４２】  実施例１ 図６型の可逆性感熱記録媒体をその消去範囲で図７（ｂ）に示したような、消去（加熱）バーと、受けとして加熱された裏面加熱バーとを併用した装置で画像消去したところ、図９（ホ）のような変形になり、カール度（ｘ）は３ｍｍであった。なお、消去バーの長さはカード巾の７０％で、図示しない装置により、消去バーを加圧／解除の制御し、長手の７０％あまりを消去した。
【手続補正２１】
【補正対象書類名】明細書
【補正対象項目名】００４３
【補正方法】変更
【補正の内容】
【００４３】  実施例２  図５（ａ）型の可逆性感熱記録媒体（８．６ｃｍ×５．４ｃｍ、厚さ０．３ｍｍ）で、記録領域の面積が２３．２ｃｍ2（５０％）のもの、消去手段を図８の媒体進行方向接触巾２ｍｍのセラミックヒーターを用い、荷重２００ｇ、長手方向で２５％解除、５０％消去、２５％（長さ）と消去バーを制御し、記録画像を消去したところ、図９（へ）のような変形となり、カール度（ｘ）は２．５ｍｍであった。なお、消去はスピード３０ｍｍ／ｓｅｃ、温度１５０〜１６０℃、処理長さ４．３ｃｍ（５０％）である。
【手続補正２２】
【補正対象書類名】明細書
【補正対象項目名】００４４
【補正方法】変更
【補正の内容】
【００４４】  実施例３  大日本インキ化学工業社製、ＤＳ−１７３１の磁気カードの反対面に、支持体を紙とし裏面に粘着層を有する図６型の可逆性感熱記録媒体（８．６ｃｍ×５．４ｃｍ、厚さ０．３ｍｍ）をはりつけたもの（厚み５００μｍ）を実施例２と同じように消去したところ、図９（ト）のような変形になり、カール度（ｘ）は１．５ｍｍであった。
【手続補正２３】
【補正対象書類名】明細書
【補正対象項目名】００４５
【補正方法】変更
【補正の内容】
【００４５】  比較例１  図４（ｂ）型の可逆性感熱記録媒体（８．６ｃｍ×５．４ｃｍ、厚さ０．３ｍｍ）で、上部５０％の記録領域と下部５０％の非記録領域のものを、金属ブロックのホットスタンプで温度１３０〜１４０℃、１ｓｅｃ、荷重１２００〜１５００ｇの条件で記録領域の片面消去処理すると、図９（チ）のような変形になり、カール度（ｘ）は５ｍｍであった。
【手続補正２４】
【補正対象書類名】明細書
【補正対象項目名】００４６
【補正方法】変更
【補正の内容】
【００４６】  比較例２  全面が可逆性感熱記録層の記録媒体（８．６ｃｍ×５．４ｃｍ、厚さ０．３ｍｍ）に対し全面消去した後、金属プレートで冷却したところ、図９（リ）のような変形になり、カール度（ｘ）は５．０ｍｍであった。
【手続補正２５】
【補正対象書類名】明細書
【補正対象項目名】００４７
【補正方法】変更
【補正の内容】
【００４７】
【図１】（ａ）（ｂ）（ｃ）は本発明の可逆性感熱記録媒体の三例の層構成を示した図である。
【図２】記録層の発色・消色が行なわれることの説明図である。
【図３】消色手段が従来のポットスタンプを用いることの説明図である。
【図４】（ａ）（ｂ）は従来の可逆性感熱記録媒体の二例の消色域、非消去域の位置関係を表わした図である。
【図５】（ａ）（ｂ）は本発明の可逆性感熱記録媒体の二例の消去域、非消去域の位置関係を表わした図である。
【図６】本発明の他の可逆性感熱記録媒体の消去域、非消去域の位置関係を表わした図である。
【図７】（ａ）（ｂ）（ｃ）は画像消去する際、消去域を加熱するとともに媒体裏面も加熱することを表わした三例の図である。
【図８】本発明の好ましい可逆性感熱記録装置の消去部の概略を示した図である。
【図９】（イ）（ロ）（ハ）（ニ）（ホ）（へ）（ト）は本発明の可逆性感熱記録媒体のカールの様子を模式的に表わした図、（チ）（リ）は比較例１、２の可逆性感熱記録媒体のカールの様子を表わした図である。